(57)【要約】【課題】プラズマディスプレイ装置における不要輻射を効果的に低減させる。【解決手段】プラズマディスプレイ装置は、前面または後面に導電性フィルタが貼り付けられた前面ガラス５の各四辺を押さえ、かつ、それぞれが導電性フィルタとバックカバーを電気的に導通させる複数のガラス押さえ部材を備える。複数のガラス押さえ部材は、前面ガラス５における一方の対向する辺に位置するガラス押さえ部材３１が前面ガラス５の前面側で導電性フィルタと電気的に接触し、他方の対向する辺に位置するガラス押さえ部材３０が前面ガラス５の後面側で導電性フィルタと電気的に接触する。【選択図】図１
2009205133.tif 000002
【特許請求の範囲】
【請求項１】
矩形表示面を有するプラズマディスプレイパネルと、
前記プラズマディスプレイパネルの表示面側に配置される平板状の前面ガラスと、
前記前面ガラスの前面または後面に貼り付けられた導電性フィルタと、
前記プラズマディスプレイパネルの表示面と反対側に配置される導電性のバックカバーと、
前記前面ガラスの各四辺を押さえ、かつ、それぞれが前記導電性フィルタと前記バックカバーを電気的に導通させる複数のガラス押さえ部材と、を備え、
前記複数のガラス押さえ部材は、前記前面ガラスにおける一方の対向する辺に位置するガラス押さえ部材が前記前面ガラスを当該前面ガラスの前面側から押さえて前記導電性フィルタと電気的に接触し、他方の対向する辺に位置するガラス押さえ部材が前記前面ガラスを当該前面ガラスの後面側から押さえて前記導電性フィルタと電気的に接触する、プラズマディスプレイ装置。
【請求項２】
前記複数のガラス押さえ部材は、前記前面ガラスにおける対向する長辺に位置するガラス押さえ部材が前記前面ガラスを当該前面ガラスの前面側から押さえて前記導電性フィルタと電気的に接触し、対向する短辺に位置するガラス押さえ部材が前記前面ガラスを当該前面ガラスの後面側から押さえて前記導電性フィルタと電気的に接触する、請求項１記載のプラズマディスプレイ装置。
【請求項３】
前記導電性フィルタは、前記前面ガラスの前面に貼り付けられており、
前記前面ガラスにおける対向する短辺には、前記導電性フィルタから前記前面ガラスの後面にかけて導電性テープが巻き付けられており、前記対向する短辺に位置するガラス押さえ部材は前記導電性テープを介して前記導電性フィルタと電気的に接触する、請求項２記載のプラズマディスプレイ装置。
【請求項４】
前記前面ガラスにおける一方の対向する辺に位置するガラス押さえ部材および他方の対向する辺に位置するガラス押さえ部材は、それらが互いに重ね合わされた状態で結合される結合部をそれぞれ有し、前記結合部同士が結合されることによって、前記前面ガラスにおける一方の対向する辺に位置するガラス押さえ部材と他方の対向する辺に位置するガラス押さえ部材が前記前面ガラスの前面側および後面側の双方から圧力をかけて前記前面ガラスを保持する、請求項１記載のプラズマディスプレイ装置。
【請求項５】
前記複数のガラス押さえ部材は、前記前面ガラスにおける少なくとも一方の対向する辺に位置するガラス押さえ部材が前記前面ガラスを押さえる押さえ面において、長手方向両端部付近から中央部にかけて滑らかに盛り上がる凸形状を有する、請求項１記載のプラズマディスプレイ装置。
【発明の詳細な説明】
【技術分野】
【０００１】
本発明は、プラズマディスプレイ装置の低コスト化および低ノイズ化に関する。
【背景技術】
【０００２】
薄型かつ大画面表示が可能なプラズマディスプレイ装置は、価格の低減や高画質化技術の発展により急速に普及し、大型のＴＶ受像機などとして広く用いられている。
【０００３】
プラズマディスプレイ装置は、主としてプラズマディスプレイパネルとプラズマディスプレイパネルを囲むシールド筐体によって構成されている。
【０００４】
このプラズマディスプレイパネルは、ガス放電により発生した紫外線によって蛍光体を励起して可視光を発生させて表示光とするディスプレイであり、複数の電極（表示電極およびアドレス電極）が格子状に配列され、各電極の交差部となる放電セルを選択的に発光させることにより画像を形成する。この原理により、電極には駆動のための電流が流れ、プラズマディスプレイパネルからはこの電流によって電磁界が発生する。
【０００５】
また、シールド筐体は、導電性のフィルタの貼り付けられた前面ガラスと、背面側の導電性バックカバーとを、導電性のガラス押さえ部材で接続して、プラズマディスプレイパネルを囲む構成をとり、発生する電磁界を電磁気的に遮蔽する構造をとっている。
【０００６】
シールド構造の各部材同士の接触部分においては、接触インピーダンスが存在し、接触の不十分によってこの接触インピーダンスが高くなると、シールド筐体のシールド性能が低下する。
【０００７】
このようなプラズマディスプレイ装置において、従来の具体的なシールド構成としては、例えば特許文献１に記載されているように、ガラス押さえ部材と他の部材を一体化して接触インピーダンスを低下させる構造がある。
【特許文献１】特開平１１−２７２１８３号公報
【発明の開示】
【発明が解決しようとする課題】
【０００８】
しかしながら、上述した特許文献１に開示された構造のように、ガラス押さえ部材が前面ガラスの各辺において、背面側から押さえて保持する構造には、以下のような課題が残る。
【０００９】
図８に示すように、前面ガラス５の各辺においては、前面ガラス５の前面側に、フレーム枠９が存在する。つまり前面ガラス５はフレーム枠９とガラス押さえ金具（ガラス押さえ部材）３０に挟まれて保持する構造となっている。このフレーム枠９はデザイン自由度や低コスト化の観点から通常樹脂成型部品が用いられるが、この樹脂成型部品は金属に比べて強度が低いため、前面ガラス５を背面側からガラス押さえ金具３０で押さえたときに変形を起こし、前面ガラス５とガラス押さえ金具３０との電気的な接触が弱くなる。その結果としてシールド筐体の電磁界の遮蔽効果が悪化する。
【００１０】
本発明は、上記の課題に鑑みてなされたものであり、コスト、組み立て工数を必要以上に追加することなく、電磁界を十分遮断できるシールド構造をもったプラズマディスプレイ装置を提供することを目的とする。
【課題を解決するための手段】
【００１１】
本発明に係るプラズマディスプレイ装置は、矩形表示面を持つプラズマディスプレイパネルと、プラズマディスプレイパネルの表示面側に配置される平板状の前面ガラスと、前面ガラスの前面または後面に貼り付けられた導電性フィルタと、プラズマディスプレイパネルの表示面と反対側に配置される導電性のバックカバーと、前面ガラスの各四辺を押さえ、かつ、それぞれが前記導電性フィルタとバックカバーを電気的に導通させる複数のガラス押さえ部材と、を備え、前面ガラスにおける一方の対向する辺に位置するガラス押さえ部材が前面ガラスを前面ガラスの前面側から押さえて導電性フィルタと電気的に接触し、他方の対向する辺に位置するガラス押さえ部材が前面ガラスを前面ガラスの後面側から押さえて導電性フィルタと電気的に接触する構成をとる。
【発明の効果】
【００１２】
本発明によれば、コスト、組み立て工数を必要以上に追加することなく、電磁界を十分遮断できるシールド構造をもったプラズマディスプレイ装置を提供することができる。
【発明を実施するための最良の形態】
【００１３】
以下に本発明の実施の形態について、図面を参照しながら説明する。なお、以下の実施形態において、同様の構成要素については同一の符号を付している。
【００１４】
（実施の形態１）
図１は、本発明の実施の形態１に係るプラズマディスプレイ装置１００における前面ガラスとガラス押さえ金具（ガラス押さえ部材）の接続構造を前面ガラスの後面側から見た斜視図である。図２Ａは、本発明の実施の形態１に係るプラズマディスプレイ装置１００の概略構造を示す正面図であり、図２Ｂは図２Ａの線分IIＢ−IIＢにてプラズマディスプレイ装置１００を縦断面視した図である。また、図３Ａは、本発明の実施の形態１に係るプラズマディスプレイ装置１００の概略構造を示す正面図であり、図３Ｂは図３Ａの線分IIIＢ−IIIＢにてプラズマディスプレイ装置１００を横断面視した図である。
【００１５】
図２Ａ〜図３Ｂに示すように、プラズマディスプレイ装置１００は、映像を表示する矩形表示面を有するプラズマディスプレイパネル１を有する。
【００１６】
図４は、プラズマディスプレイパネル１における放電電極の配置を説明するための図である。この図では、簡易的に、表示ラインおよびドット数が５の場合を示している。まず、このプラズマディスプレイ１の構成およびプラズマディスプレイ装置１００の放電の仕組みについて説明する。
【００１７】
プラズマディスプレイパネル１内には、プラズマディスプレイパネル１の幅方向（図３Ｂにおいて横方向）に伸長する維持放電電極（以下、「Ｘ電極」と称する）２０ａおよび維持・走査放電電極（以下、「Ｙ電極」と称する）２０ｂが表示ライン数に対応した本数でプラズマディスプレイパネルの高さ方向（図２Ｂにおいて縦方向）に並ぶように配置されており、Ｙ電極２０ｂとの間で走査放電を行うアドレス電極２１が、Ｙ電極２０ｂと直交するように表示ドット数に対応した本数で配置されている。Ｘ電極２０ａおよびＹ電極２０ｂとアドレス電極２１とが交差する位置には、放電セルが形成されている。
【００１８】
図３Ｂに示すように、プラズマディスプレイ装置１００は、さらに、プラズマディスプレイパネル１の背面側（図３Ｂにおいて上側）に配置されたアルミシャーシ２と、Ｘ電極２０ａに駆動パルス波形を印加するＸ電極駆動回路が形成された基板３ａと、Ｙ電極２０ｂに駆動パルス波形を印加するＹ電極駆動回路が形成された基板３ｂと、Ｘ電極駆動回路とＸ電極２０ａとを接続するフレキシブル配線基板４ａと、Ｙ電極駆動回路とＹ電極２０ｂとを接続するフレキシブル配線基板４ｂと、を有する。
【００１９】
なお、プラズマディスプレイ装置１００では、Ｘ電極駆動回路におけるグラウンドとアルミシャーシ２の一方の端部（図３Ｂにおいて左側の端部）とが電気的に接続され、Ｙ電極駆動回路におけるグラウンドとアルミシャーシ２の他方の端部（図３Ｂにおいて右側の端部）とが電気的に接続されている。
【００２０】
プラズマディスプレイ装置１００の駆動方法としては、階調表示を放電回数で制御するサブフィールド駆動方式が一般的である。各サブフィールドは、リセット期間、アドレス期間および維持放電期間から構成されている。
【００２１】
各期間における表示装置の動作を説明する。リセット期間では、Ｘ電極２０ａとＹ電極２０ｂとの間にリセットパルス電圧を印加して全画素で放電させ、直前のサブフィールドでの壁電荷を消去する。アドレス期間では、各Ｙ電極２０ｂに順次に走査パルスを印加し、同時に映像表示内容に対応する画素のアドレス電極２１にアドレスパルス電圧を印加することにより、Ｙ電極２０ｂとアドレス電極２１との間にアドレス放電を発生させて、壁電荷を蓄積させる。維持放電期間では、Ｘ電極２０ａとＹ電極２０ｂとの間に維持放電パルス電圧を印加し、アドレス期間に壁電荷を蓄積した画素内において維持放電を発生させる。
【００２２】
維持放電により真空紫外線が画素内に発生する。真空紫外線が画素内に配置された蛍光体に照射されることにより可視光が発生し、その画素が点灯する。維持放電期間では、数百Ｖ、数百ｋＨｚの駆動電圧をＸ電極２０ａおよびＹ電極２０ｂに交互に印加し、両電極間の画素内で放電を発生させる。これにより、維持放電期間中にプラズマディスプレイパネルにおいてインパルス的に大電流が流れる。
【００２３】
例えばＸ電極２０ａに駆動電圧を印加すると、Ｘ電極駆動回路の駆動部、Ｘ電極２０ａ、画素内の雰囲気、Ｙ電極２０ｂ、Ｙ電極駆動回路のグラウンド、アルミシャーシ２およびＸ電極駆動回路のグラウンドによって形成されるループ経路上に大電流が流れる。こうしてループ状に流れる大電流は、大きな磁界を発生させる。
【００２４】
次に、本実施の形態に係るプラズマディスプレイ装置１００の前面ガラス付近の構成について説明する。プラズマディスプレイ装置１００は、図２Ｂおよび図３Ｂに示すように、プラズマディスプレイパネル１の表示面側に配置される、プラズマディスプレイパネル１に平行な平板状の前面ガラス５を有している。この前面ガラス５は、プラズマディスプレイパネル１と反対側を向く前面５ａと、プラズマディスプレイパネル１側を向く後面５ｂを有している。また、前面ガラス５は、正面視で左右に延びる長方形状をなしており、上端部および下端部が鉛直方向で互いに対向する一対の長辺を構成し、左右の両端部が水平方向で互いに対向する一対の短辺を構成している。本実施形態では、前面ガラス５の前面５ａに略全面に亘って導電性フィルタ６が貼り付けられている。
【００２５】
図１に示すように、本実施形態のプラズマディスプレイ装置１００では、プラズマディスプレイ装置１００の表示面短手方向、つまり本実施形態では上下、においては、前面ガラス５をガラス押さえ金具（ガラス押さえ部材）３１と追加押さえ部材１１で挟み込む前面側接触構造が採用され、左右においては、前面ガラス５をガラス押さえ金具（ガラス押さえ部材）３０とフレーム枠９で挟み込む背面側接触構造が採用されている。ガラス押さえ金具３０，３１はバックカバー７（図２Ｂおよび図３Ｂ参照）に接続されて、シールド筐体を形成する。
【００２６】
ここで、背面側接触構造の詳細を図６で、前面側接触構造の詳細を図７で示す。
【００２７】
図６は、前面ガラス５における対向する短辺に位置するガラス押さえ金具３０が前面ガラス５の短辺を後面５ｂ側から押さえて導電性フィルタ６と電気的に接触する背面接触状態を示す断面拡大図である。導電性フィルタ６は前面ガラス５の前面５ａに貼り付けられているので、前面ガラス５の端部において導通を確保するために導電性テープ１２を導電性フィルタ６の端部から前面ガラス５の後面５ｂにかけて巻き付ける処理を施している。ガスケット１０は、導電性テープ１２を介した導電性フィルタ６とガラス押さえ金具３０との電気的接触を確実に行うための弾性をもった導体である。ガラス押さえ金具３０とバックカバー７は、電気的に接続される。
【００２８】
具体的に、ガラス押さえ金具３０は、帯状の金属板がプレス成形された導電性のものであり、前面ガラス５の後面５ｂ側で前面ガラス５の短辺に沿って延びる、前面ガラス５に平行な押さえ部３０ａと、バックカバー７と共にフレーム枠９にねじ止めされて固定される固定部３０ｃと、押さえ部３０ａと固定部３０ｃとを連結する連結部３０ｂとを有している。押さえ部３０ａにおける前面ガラス５の後面５ｂと対向する面は、前面ガラス５を押さえる押さえ面３０ｄとなっている。そして、ガラス押さえ金具３０は、固定部３０ｃがフレーム枠９に固定されることにより、押さえ面３０ｄが前面ガラス５を後面５ｂ側からガスケット１０および導電性テープ１２を介して押さえ、これによりガラス押さえ金具３０がガスケット１０および導電性テープ１２を介して導電性フィルタ６に電気的に接触する。
【００２９】
図７は、前面ガラス５における対向する長辺に位置するガラス押さえ金具３１が前面ガラス５の長辺を前面５ａ側から押さえて導電性フィルタ６と電気的に接触する前面接触状態を示す断面拡大図である。前面ガラス５に貼り付けられた導電性フィルタ６とガラス押さえ金具３１とは、前面ガラス５の前面５ａ側においてガスケット１０を介して電気的に接触する。さらにガラス押さえ金具３１には、当該ガラス押さえ金具３１とで前面ガラス５を挟み込む追加押さえ部材１１が取り付けられている。ガラス押さえ金具３１とバックカバー７は、背面接触構造と同じく電気的に接続される。なお、本実施形態では、前面ガラス５の短辺だけでなく長辺にも導電性テープ１２が巻き付けられている。
【００３０】
具体的に、ガラス押さえ金具３１は、帯状の金属板がプレス成形された導電性のものであり、前面ガラス５の前面５ａ側で前面ガラス５の長辺に沿って延びる、前面ガラス５に平行な押さえ部３１ａと、バックカバー７と共にフレーム枠９にねじ止めされて固定される固定部３１ｃと、押さえ部３１ａと固定部３１ｃとを連結する連結部３１ｂとを有している。すなわち、ガラス押さえ金具３１では、連結部３１ｂの長さがガラス押さえ金具３０の連結部３０ｂの長さよりも長くなっている。押さえ部３１ａにおける前面ガラス５の前面５ａと対向する面は、前面ガラス５を押さえる押さえ面３１ｄとなっている。そして、ガラス押さえ金具３１は、追加押さえ部材１１およびガラス押さ金具３０によって前面ガラス５が前方に押されることにより、押さえ面３１ｄが前面ガラス５を前面５ａ側からガスケット１０、導電性テープ１２および導電性フィルタ６を介して押さえ、これによりガラス押さえ金具３１がガスケット１０および導電性テープ１２を介して導電性フィルタ６に電気的に接触する。
【００３１】
ここで、図６のような背面接触構造を図８のように四辺全周に構成した場合には、樹脂成型品であるフレーム枠９がガラス押さえ金具３０に押されて前面側に変形し、ガラス押さえ金具３０と導電性フィルタ６との電気的な接触が弱まり、シールド効果が低減する。この接触不良を低減するためにガスケット１０の厚みを増すなどの処理を施す必要がある。
【００３２】
これに対して本実施の形態のように、前面ガラス５における一方の対向する辺に位置するガラス押さえ金具３１が前面ガラス５の前面５ａ側から導電性フィルタ６と電気的に接触し、他方の対向する辺に位置するガラス押さえ金具３０が前面ガラス５の後面５ｂ側から導電性フィルタ６と電気的に接触する構造とすることで、前面ガラス５を後面５ｂ側からガラス押さえ金具３０で押さえても前面５ａ側に配されたガラス押さえ金具３１があるので、フレーム枠９へ直接力が加わらず、フレーム枠９が変形を起こさない。そのため、ガラス押さえ金具３０，３１と導電性フィルタ６との電気的接触の低下を改善し、高いシールド効果を確保することができる。また、本実施形態では導電性テープ１２と導電性フィルタ６の接触部分をガラス押さえ金具３１で直接押圧するようにしているので、この部分でのはがれ等による接触抵抗低下も小さくすることができる。
【００３３】
また、前面ガラス５とガラス押さえ金具３０，３１の間に設けたガスケット１０を薄くしても、フレーム枠９の変形が少ないために、ガラス押さえ金具３０，３１と導電性フィルタ６との電気的な接触を十分に確保することができる。また、対向する２組の辺が互いに押し合う形で前面ガラス５を保持する構成であるので、安定して前面ガラス５を保持し得る。
【００３４】
なお、本実施の形態においては、上下においても導電性テープ１２のある構成としたが、これに限られない。上下は導電性テープ１２をはずしてガラス押さえ金具３１を導電性フィルタ６に直接接触させることも可能である。これによって、さらなる接触抵抗の低下や、コストの低減を図ることができる。
【００３５】
なお、本実施の形態においては、上下において補助的に追加押さえ部材１１を用いて前面ガラス５を押さえる構成をとっているが、これに限られるものではない。追加押さえ部材１１が無くても左右のガラス押さえ金具３０が前面ガラス５を後ろから押さえるので、これによって確実な前面ガラス５の保持を可能とすることができる。こうすることでさらに低コストで構成することが可能となる。
【００３６】
また、本実施の形態においては、上下に位置するガラス押さえ金具３１を前面５ａ側から導電性フィルタ６に電気的に接触させ、左右に位置するガラス押さえ金具３０を後面５ｂ側から導電性フィルタ６に電気的に接触させる構成としたが、これに限られない。例えば、左右に位置するガラス押さえ金具を前面５ａ側から、上下に位置するガラス押さえ金具を後面５ｂ側から導電性フィルタ６に電気的に接触する構成であってもよい。このようにすれば、補助的な追加押さえ部材１１を使う場合には、上下に配置するよりも左右に配置する方がその長さを短くできるので、低コスト化が可能である。
【００３７】
ただし、上下に位置するガラス押さえ金具を前面５ａ側から導電性フィルタ６に電気的に接触させることで、左右に位置するガラス押さえ金具を前面５ａ側から導電性フィルタ６に電気的に接触させる場合に比べて、次のような優れた効果を得ることができる。
【００３８】
図５はループ電流とそれによって発生する磁界を示す図である。図５に示すようにループ状の電流８ａが流れた場合、ループを形成する平面に対して垂直方向に強い磁界８ｂが発生する。一方ループ平面に水平な方向は垂直方向に比べて発生する磁界が弱くなる。
【００３９】
この原理を図３にあてはめて考えると、プラズマディスプレイ装置１００が表示動作を行っているときには、主としてＸ電極駆動回路が形成された基板３ａと、Ｙ電極駆動回路が形成された基板３ｂにより、プラズマディスプレイパネル１およびアルミシャーシ２を通じて水平方向にループ状に駆動電流が流れる。よって、この電流により発生する不要輻射磁界は垂直方向（図３Ｂの紙面に垂直）の成分が大半となり、水平方向（図３Ｂの紙面に水平）の成分は小さい。よって、この不要輻射磁界を遮蔽するという観点においては、プラズマディスプレイ装置１００の上下（垂直）方向の影響が大きいといえる。
【００４０】
よって、本実施の形態のように上下を接触性の高い前面接触構造とし、左右で後面から押さえる構造とすることで、左右を前面接触とする場合に比べてさらに高いシールド効果を実現することが可能となる。
【００４１】
（実施の形態２）
次に、本発明の実施の形態２について、図９を参照しながら説明する。実施の形態２は、実施の形態１と比べて、左右のガラス押さえ金具と上下のガラス押さえ金具が互いに重なる部分を有し、互いがねじで結合されてガラスを挟み込む点で、実施の形態１とは異なる。
【００４２】
図９は、本発明の実施の形態２に係るプラズマディスプレイ装置１００における前面ガラス５とガラス押さえ金具３０、３１の接続構造を示す斜視図である。なお、左右のガラス押さえ金具３０および上下のガラス押さえ金具３１と前面ガラス５との接触部分の断面構造は、実施の形態１の図６，７と同様である。
【００４３】
左右のガラス押さえ金具３０および上下のガラス押さえ金具３１は、それらが互いに重ね合わされた状態で結合部材によって互いに結合される結合部３２をそれぞれ有している。この結合部３２同士が結合部材であるねじで締結されることによって、左右のガラス押さえ金具３０と上下のガラス押さえ金具３１が前面ガラス５を挟み込み、前面ガラス５の前面５ａ側および後面５ｂ側の双方から圧力をかけて前面ガラス５を保持することができる。これにより、ガラス押さえ部材３０，３１と導電性フィルタ６との電気的な接触も確実に行うことができる。
【００４４】
また、追加押さえ部材１１が必要ないので、実施の形態１に比べて低コストで実現することができる。
【００４５】
なお、本実施形態では結合部材をねじとしたが、要するに左右のガラス押さえ金具３０と上下のガラス押さえ金具３１を結合するものであればこれに限られるものではない。例えば、ガラス押さえ金具３０，３１の一端同士を鈎針状の部材で引っ掛けて、他端をねじ締めするようなものでもよい。これであれば結合部材のコストを低減できる。
【００４６】
（実施の形態３）
次に、本発明の実施の形態３について、図１０を参照しながら説明する。実施の形態３は、上下のガラス押さえ金具が、端部から中央部にかけて滑らかに盛り上がる形状を有している点で、実施の形態１および２と異なる。
【００４７】
図１０は、本発明の実施の形態３に係るプラズマディスプレイ装置１００における前面ガラス５とガラス押さえ金具３０，３１の接続構造を示す斜視図である。なお、左右のガラス押さえ金具３０および上下のガラス押さえ金具３１と前面ガラス５との接触部分の断面構造は、実施の形態１の図６，７と同様である。
【００４８】
ガラス押さえ金具３１は、押さえ面３１ｄに、長手方向両端部付近から中央部にかけて滑らかに盛り上がる凸形状部３３を有している。図１１にはガラス押さえ金具３１を下側から見た断面図を示す。凸形状部３３は、ガラス押さえ金具３１の両端の結合部３２の間で押さえ面３１ｄの長手方向と平行に延びており、その両端部から中央部にかけて滑らかに盛り上がる形状を有している。この構成により、左右のガラス押さえ金具３０の結合部３２と上下のガラス押さえ金具３１の結合部３２とをねじで締結すると、ガラス押さえ金具３１がその長手方向中央付近でも前面ガラス５に対して実施の形態２に比べて強い圧力で接触することができ、確実な接触を行うことができるとともに、接触インピーダンスを更に下げ、シールド効果を上げることができる。
【００４９】
なお、本実施の形態では上下のガラス押さえ金具３１の押さえ面３１ｄにのみ凸形状部３３を設けたが、これに限られるものではない。左右のガラス押さえ金具３０の押さえ面３０ｄのみ、あるいは上下左右の全ての押さえ面３１ｄ，３０ｄに凸形状部３３を設けることも可能である。さらに、凸形状部３３は、実施の形態１のようにガラス押さえ金具３０，３１が結合部３２を有しない場合に設けることも可能である。
【００５０】
前記実施の形態１〜３では、導電性フィルタ６が前面ガラス５の前面５ａに貼り付けられているが、本発明は、導電性フィルタ６が前面ガラス５の後面５ｂに貼り付けられている場合にも適用可能である。
【産業上の利用可能性】
【００５１】
本発明は、プラズマディスプレイパネル表示装置における不要輻射の低減に適用できる。
【図面の簡単な説明】
【００５２】
【図１】本発明の実施の形態１に係るプラズマディスプレイ装置の前面ガラスとガラス押さえ金具の接続関係を示す斜視図
【図２Ａ】本発明の実施の形態１に係るプラズマディスプレイ装置の正面図
【図２Ｂ】本発明の実施の形態１に係るプラズマディスプレイ装置の縦断面図
【図３Ａ】本発明の実施の形態１に係るプラズマディスプレイ装置の正面図
【図３Ｂ】本発明の実施の形態１に係るプラズマディスプレイ装置の横断面図
【図４】プラズマディスプレイパネルにおける放電電極の配置を示す概念図
【図５】プラズマディスプレイパネルにおけるループ電流とそれによって発生する磁界を示す概念図
【図６】本発明の実施の形態１〜３に係るプラズマディスプレイ装置の前面ガラスと左右のガラス押さえ金具の接続関係を示す拡大図
【図７】本発明の実施の形態１〜３に係るプラズマディスプレイ装置の前面ガラスと上下のガラス押さえ金具の接続関係を示す拡大図
【図８】従来例のプラズマディスプレイ装置の前面ガラスとガラス押さえ金具の接続関係を示す斜視図
【図９】本発明の実施の形態２に係るプラズマディスプレイ装置の前面ガラスとガラス押さえ金具の接続関係を示す斜視図
【図１０】本発明の実施の形態３に係るプラズマディスプレイ装置の前面ガラスとガラス押さえ金具の接続関係を示す斜視図
【図１１】本発明の実施の形態３に係るプラズマディスプレイ装置のガラス押さえ金具の凸形状部を説明する構成図
【符号の説明】
【００５３】
１  プラズマディスプレイパネル
２  アルミシャーシ
３ａ  Ｘ電極駆動回路が形成された基板
３ｂ  Ｙ電極駆動回路が形成された基板
４ａ  フレキシブル配線基板
４ｂ  フレキシブル配線基板
５  前面ガラス
５ａ  前面
５ｂ  後面
６  導電性フィルタ
７  バックカバー
８ａ  ループ電流
８ｂ  ループ電流による磁界
９  フレーム枠
１０  ガスケット
２０ａ  維持放電電極（Ｘ電極）
２０ｂ  維持・走査放電電極（Ｙ電極）
２１  アドレス電極
３０  ガラス押さえ金具
３１  ガラス押さえ金具
３２  結合部
３３  凸形状部
１００  プラズマディスプレイ装置
【図１】
2009205133.tif 000003
【図２Ａ】
2009205133.tif 000004
【図２Ｂ】
2009205133.tif 000005
【図３Ａ】
2009205133.tif 000006
【図３Ｂ】
2009205133.tif 000007
【図４】
2009205133.tif 000008
【図５】
2009205133.tif 000009
【図６】
2009205133.tif 000010
【図７】
2009205133.tif 000011
【図８】
2009205133.tif 000012
【図９】
2009205133.tif 000013
【図１０】
2009205133.tif 000014
【図１１】
2009205133.tif 000015